(57)【特許請求の範囲】
【請求項１】
種々の構成部品が収納される本体筐体と、
前記本体筐体の内、相互に対向する側面よりも外側に突出するように、前記本体筐体の上部に配設され、原稿の画像を読み取る読取部と、
前記本体筐体の内、相互に対向する側面を構成するサイドカバーと、を有する原稿読取装置であって、
前記サイドカバーは、
前記本体筐体外側に向かって突出した前記読取部の下面から所定寸法離間しつつ、当該読取部の下面及び側面を外側から覆うように、前記本体筐体外側に向かって突出した突出部を有し、
更に、前記サイドカバーは、
前記本体筐体の内、前記側面を構成すると共に、前記読取部の下面から前記読取部の側面にわたって外側から覆う前記突出部の内側壁を構成し、前記本体筐体の内部において前記種々の構成部品を支持するフレームに対して、複数箇所で固定される第１部材と、
前記第１部材の前記内側壁における外表面を覆って配設され、前記突出部の外側壁を構成する第２部材と、により構成され、
前記第２部材は、
前記読取部の主走査方向の長さに対応する長手寸法をもって形成され、下方から手を掛けることが可能な第１手掛け部を、当該突出部下面側に備え、
前記第１手掛け部は、
当該第１手掛け部の長手方向に沿って連続するリブを有している
ことを特徴とする原稿読取装置。
【請求項２】
請求項１記載の原稿読取装置であって、
前記第１手掛け部は、
当該第１手掛け部の長手方向両端部よりも外側に位置する前記突出部の下面に対して、上方へ凹んだ箱状に形成されている
ことを特徴とする原稿読取装置。
【請求項３】
請求項１又は請求項２に記載の原稿読取装置であって、
前記サイドカバーは、
当該サイドカバー下端部の所定位置に形成され、下方から手を掛けることが可能な第２手掛け部を有し、
当該原稿読取装置の重心は、
前記第１手掛け部の形成範囲と、前記第２手掛け部の形成範囲とを結んだ領域内に含まれている
ことを特徴とする原稿読取装置。
【請求項４】
請求項１乃至請求項３の何れかに記載の原稿読取装置であって、 
前記第１手掛け部は、
当該第１手掛け部の長手方向に沿って、所定の第１高さで立設された複数の第１リブと、
前記複数の第１リブよりも前記本体筐体外側において、当該第１手掛け部の長手方向に沿って、前記第１リブよりも高い第２高さで立設された第２リブと、を有する
ことを特徴とする原稿読取装置。
【発明の詳細な説明】
【技術分野】
【０００１】
本発明は、本体筐体上部に読取部を備える原稿読取装置に関し、当該原稿読取装置を運搬する際に用いられる手掛け部を有する原稿読取装置に関する。
【背景技術】
【０００２】
従来、原稿読取装置に関する発明として、特許文献１記載の発明が知られている。当該特許文献１には、筐体上部に画像読取部を有する画像形成装置（即ち、原稿読取装置）が記載されており、当該原稿読取装置の前後側面には、下端縁中央部を凹状とした取っ手を有している。従って、作業者は、当該取っ手に手を掛けて、当該原稿読取装置を移動・運搬することができる。又、当該取っ手上面には、滑り止め用部材が配設されており、取っ手に掛けられた作業者の手が滑ることを防止している。
【先行技術文献】
【特許文献】
【０００３】
【特許文献１】特開２００５−１８９７５２号公報
【発明の概要】
【発明が解決しようとする課題】
【０００４】
ここで、特許文献１に係る取っ手は、図７等の記載からわかるように、基本的に一人の作業者を対象として形成されている。即ち、一の取っ手に対しては、一つの手が掛けられることが前提となっている。原稿読取装置が大型化し、重量が増大した場合、当該原稿読取装置の移動・運搬を、一人の作業者で行うことが困難となる。この場合、複数人の作業者により、当該原稿読取装置を行うことが想定されるが、特許文献１記載の発明では、取っ手が或る一つの手で占有されてしまうため、複数人の作業者が、夫々、取っ手を利用して、原稿読取装置の移動等を行うことはできない。
【０００５】
そうすると、複数人の作業者の内、取っ手を利用できない他の作業者は、原稿読取装置の取っ手以外の場所に手を掛けて移動作業を行うことになる。この場合、当該他の作業者が、本来、手を掛けるべきではない位置に、手を掛けてしまい、原稿読取装置の故障原因となってしまう。
【０００６】
本発明は、複数人による原稿読取装置の移動作業に対応すると共に、当該移動作業に伴う故障を防止可能な原稿読取装置を提供する。
【課題を解決するための手段】
【０００７】
本発明の請求項１に係る原稿読取装置は、本体筐体と、読取部と、サイドカバーとを有する。読取部は、前記本体筐体の内、相互に対向する側面よりも外側に突出するように、前記本体筐体の上部に配設され、原稿の画像を読み取る。そして、各サイドカバーは、夫々、突出部を有しており、本体筐体の内の相互に対向する側面を構成している。突出部は、前記本体筐体外側に向かって突出した前記読取部の下面から所定寸法離間しつつ、当該読取部の下面及び側面を外側から覆うように形成されている。当該突出部の外側壁を構成する第２部材の下面側には、第１手掛け部が、下方から手を掛けることが可能なように形成されている。従って、当該原稿読取装置によれば、第１手掛け部が原稿読取装置における上部側に位置するため、本体筐体が大型化した場合であっても、当該原稿読取装置を移動させる際に、無理な体勢をとらずに、第１手掛け部を用いた移動作業を行い得る。これにより、当該原稿読取装置は、移動作業時における作業者の負担を軽減し得る。又、第１手掛け部は、読取部の主走査方向の長さに対応する長手寸法をもって形成されている。即ち、第１手掛け部は、一の手掛け部に対して、複数の手を掛けることができる長さで形成されている。この結果、当該原稿読取装置によれば、複数人の作業者が、第１手掛け部を用いた原稿読取装置の移動作業を行うことができるため、当該原稿読取装置が重量物である場合であっても、個々の負担を軽減しつつ、当該移動作業を行わせ得る。そして、第１手掛け部は、当該第１手掛け部の長手方向に沿って連続するリブを有している。従って、当該リブは、第１手掛け部におけるどの位置であっても、作業者の手に対する滑り止めとして機能する。この結果、当該原稿読取装置によれば、手が滑ることに起因する原稿読取装置の落下等を防止し得る。又、作業者が原稿読取装置をしっかりと保持し得るので、当該原稿読取装置は、移動作業時に係る負担を軽減し得る。
【０００８】
そして、当該原稿読取装置において、前記サイドカバーは、前記本体筐体外側に向かって突出した前記読取部の下面から所定寸法離間しつつ、当該読取部の下面及び側面を外側から覆うように配設されている。従って、当該原稿読取装置によれば、第１手掛け部を用いた移動作業を行った場合であっても、突出部の内壁面が、読取部の下面と接触することはない。即ち、当該原稿読取装置は、第１手掛け部を用いた移動作業に際し、当該内壁面との接触に起因する読取部の故障を防止することができる。
【０００９】
又、当該原稿読取装置において、前記サイドカバーは、第１部材と、第２部材と、により構成されている。第１部材は、前記本体筐体の内、前記側面を構成すると共に、前記読取部の下面から前記読取部の側面にわたって外側から覆う前記突出部の内側壁を構成している。第２部材は、前記第１部材の前記内側壁における外表面を覆って配設され、前記突出部の外側壁を構成している。従って、当該原稿読取装置によれば、突出部の剛性を高めることができ、読取部下面へ向かう突出部内壁面の変形を抑止し得る。又、第１部材は、前記本体筐体の内部において前記種々の構成部品を支持するフレームに対して、複数箇所で固定されている。従って、当該原稿読取装置によれば、第１手掛け部を用いた移動作業時において、原稿読取装置の荷重は、第１部材とフレームの固定箇所に分散され、第１手掛け部近傍に集中することはない。即ち、当該原稿読取装置は、第１手掛け部を用いた移動作業に際し、当該内壁面との接触に起因する読取部の故障を、より確実に防止することができる。
【００１０】
そして、請求項２記載の原稿読取装置において、前記第１手掛け部は、当該第１手掛け部の長手方向両端部よりも外側に位置する前記突出部の下面に対して、上方へ凹んだ箱状に形成されている。当該原稿読取装置によれば、第１手掛け部を、突出部の下面に対して、上方へ凹んだ箱状に形成することにより、当該第１手掛け部の剛性を高め得る。即ち、当該原稿読取装置は、第１手掛け部を用いた移動作業に際し、当該内壁面との接触に起因する読取部の故障を防止することができる。更に、当該第１手掛け部の長手方向両端部よりも外側において、前記突出部の下面が位置している。つまり、突出部中央の所定範囲に第１手掛け部が形成されているため、当該原稿読取装置によれば、作業者は、当該原稿読取装置の移動作業を装置の姿勢が安定した状態で行い得る。
【００１１】
又、請求項３記載の原稿読取装置において、前記サイドカバーは、第２手掛け部を有している。第２手掛け部は、当該サイドカバー下端部の所定位置において、下方から手を掛けることが可能に形成されている。従って、当該原稿読取装置によれば、第１手掛け部のみならず、第２手掛け部を用いて移動作業を行うことができるので、柔軟性に富んだ態様で移動作業を行い得る。又、当該原稿読取装置の重心は、前記第１手掛け部の形成範囲と、前記第２手掛け部の形成範囲とを結んだ領域内に含まれている為、第１手掛け部、第２手掛け部を用いた移動作業時において、当該原稿読取装置のバランスをとりやすい。この結果、当該原稿読取装置は、第１手掛け部、第２手掛け部を用いた移動作業に基づく作業者の負担を軽減し得る。
【００１２】
そして、請求項４記載の原稿読取装置において、前記第１手掛け部は、複数の第１リブと、第２リブと、を有する。各第１リブは、当該第１手掛け部の長手方向に沿って、所定の第１高さで立設されている。そして、第２リブは、複数の第１リブよりも前記本体筐体外側において、当該第１手掛け部の長手方向に沿って、前記第１リブよりも高い第２高さで立設されている。従って、当該原稿読取装置によれば、第１手掛け部に手を掛けた場合において、複数の第１リブ及び第２リブにより、手の滑りを防止することができる。ここで、第２リブは、第１リブよりも高い高さで立設されているため、より確実に手の滑りを防止し得る。
【図面の簡単な説明】
【００１３】
【図１】本実施形態に係る複合機１の外観斜視図である。
【図２】上部カバーを取り外した状態における複合機の外観斜視図である。
【図３】本実施形態に係る複合機の正面図である。
【図４】本実施形態に係る複合機の上面図である。
【図５】複合機におけるスキャナユニットの読取範囲に関する説明図である。
【図６】第１手掛け部及び第２手掛け部に関する説明図である。
【図７】突出部及び第１手掛け部近傍の断面図である。
【図８】本体フレームに対するサイドカバー取付構造に関する説明図である。
【図９】第１手掛け部及び第２手掛け部に対する複合機の重心の位置関係を示す説明図である。
【発明を実施するための形態】
【００１４】
以下、本発明に係る原稿読取装置を、スキャナ機能（原稿読取機能）を有する複合機１に具体化した実施形態について、図面を参照しつつ説明する。尚、以下の説明において、複合機１使用時のユーザの位置を基準にした方向を用いて説明する。即ち、図１において、紙面に向かって右下側を「前側」、紙面に向かって左上側を「後側」とし、紙面に向かって左下側を「左側」、紙面に向かって右下側を「右側」とする。又、紙面に向かって上下方向を「上下方向」とする。
【００１５】
本実施形態に係る複合機１は、スキャナ機能、コピー機能、プリンタ機能、ファクシミリ機能等を有する多機能複合機である。本体筐体１０内部には、これらの機能の実現に必要な種々の構成ユニット（例えば、後述するスキャナユニット２５や、印刷ユニット（図示せず）等）が収納されており、本体フレーム１５を介して、夫々、所定位置に取り付けられている。
【００１６】
本体筐体１０は、当該本体筐体１０の左右両側面を構成するサイドカバー３０を含み、当該複合機１の外装を構成する。当該本体筐体１０の前面側上部には、操作部１１が配設されている。操作部１１は、複数の操作キーと、ディスプレイを備えており、複合機１に対する種々の指示を行う際に操作される。
【００１７】
又、本体筐体１０の下部には、給紙カセット１３が前後方向に引き出し可能に装着されている。当該給紙カセット１３は、本体筐体１０内部に配設されている印刷ユニット（図示せず）での印刷に用いられる用紙を積層状態で収納している。
【００１８】
操作部１１と給紙カセット１３の間には、排紙トレイ１２が、本体筐体１０前面側を開放した本体筐体１０の内部空間により形成されている。当該排紙トレイ１２には、給紙カセット１３から給紙され、印刷ユニットにより印刷が施された用紙が排紙される。
【００１９】
図２、図５等に示すように、本体筐体１０上面には、スキャナユニット２５が配設されている。スキャナユニット２５は、コンタクトガラス２６と、スキャナベース２７と、読取センサ２８を有しており、コンタクトガラス２６上にセットされた原稿の画像を、読取センサ２８により読み取る。コンタクトガラス２６は、所謂、プラテンガラスであり、スキャナユニット２５上面を構成する。当該コンタクトガラス２６は、Ｌｅｇａｌサイズよりもやや大きな長方形状であり、本体筐体１０の左右方向に沿って長辺が位置するように形成されており、読取対象である原稿の載置面として機能する。スキャナベース２７は、スキャナユニット２５の基礎的なフレーム部分を構成する。
【００２０】
読取センサ２８は、所謂、密着型イメージセンサ（ＣＩＳ：Contact Image Sensor）により構成され、コンタクトガラス２６上に位置する原稿の画像を読み取る。当該読取センサ２８は、主走査方向（即ち、本体筐体１０における前後方向）がＬｅｇａｌサイズの短辺に相当する長さの読取範囲を有している。又、当該読取センサ２８は、スキャナベース２７に対して、副走査方向（即ち、本体筐体１０における左右方向）に延びる一定の範囲を往復移動可能に配設されている。
【００２１】
従って、当該複合機１において、スキャナユニット２５は、読取センサ２８を副走査方向に往復移動させつつ、画像の読取動作を行うことにより、コンタクトガラス２６の略全域に相当する読取範囲Ｒを有する（図２、図５参照）。尚、本実施形態においては、読取範囲Ｒにおける主走査方向に沿った範囲を「主走査範囲Ｒｍ」といい、読取範囲Ｒにおける副走査方向に沿った範囲を「副走査範囲Ｒｖ」という。
【００２２】
そして、上部カバー２０は、本体筐体１０上面の後端縁を軸に開閉自在に配設されており、閉じた場合に本体筐体１０上面（即ち、コンタクトガラス２６）を覆う。従って、当該上部カバー２０は、コンタクトガラス２６上にセットされた原稿をその位置に固定し得る。
【００２３】
又、上部カバー２０は、自動原稿搬送装置２１（ＡＤＦ：Auto Document Feeder）を有している。そして、自動原稿搬送装置２１は、上部カバー２０の左側に配設されており、上部カバー２０に形成された原稿トレイ（図示せず）内の原稿を連続して一枚ずつ給紙し、所定の搬送経路に沿って搬送した後、上部カバー２０上の排紙トレイに排紙する。当該複合機１は、自動原稿搬送装置２１により原稿を搬送する途中で、スキャナユニット２５により画像を読み取る方式で、原稿の画像を読み取り得る。
【００２４】
ここで、本実施形態に係る複合機１は、当該複合機１の上部分において、本体筐体１０の左右方向へ突出した突出部４１を有している。当該突出部４１は、その下面側に、後述する第１手掛け部５１を有しており（図６、図７参照）、当該複合機１の移動作業時には、第１手掛け部５１を含む突出部４１が利用される。そして、当該突出部４１は、本体筐体１０の右側面、左側面を構成するサイドカバー３０により形成されている。本実施形態においては、当該サイドカバー３０は、第１カバー部材４０と、第２カバー部材５０により構成されている。
【００２５】
第１カバー部材４０は、サイドカバー３０の主要部を構成し、突出部４１の内側壁４０Ａと、第２手掛け部４２と、フレーム固定部４３とを有している。図７、図８に示すように、本体筐体１０の左側面、右側面を構成する第１カバー部材４０の上部側には、夫々、内側壁４０Ａが、本体筐体１０の外側方向（左方向又は右方向）に向けて突出する形状で形成されている。突出部４１は、当該内側壁４０Ａと、その本体筐体１０外側の表面を覆う第２カバー部材５０により構成される。尚、第２カバー部材５０については、後に詳細に説明する。従って、サイドカバー３０が本体筐体１０側面を構成している状態において、突出部４１は、サイドカバー３０の所定位置から上部分を、複合機１の左右方向に向かって突出するように形成される。ここで、上記所定位置とは、突出部４１下面側における内側壁４０Ａの内面が、スキャナユニット２５の下部を構成するスキャナベース２７下面から、距離Ｔの分だけ離間する位置である（図７参照）。
【００２６】
尚、前記距離Ｔは、突出部４１及び第１手掛け部５１を用いて複合機１を持ち上げた場合であっても、突出部４１下面側における内側壁４０Ａの内面が、スキャナベース２７下面に接触しない距離であり、第１カバー部材４０の構成材料、複合機１の重量等に基づいて、複合機１を持ち上げた場合における突出部４１下面の撓み量を算出することにより適宜設定される。
【００２７】
第２手掛け部４２は、本体筐体１０の左右両側面下端部に形成されており、当該複合機１を移動する際に、作業者が手を掛け得る部分である。当該第２手掛け部４２は、サイドカバー３０を構成する第１カバー部材４０の下端部において、当該第１カバー部材４０の幅方向（複合機１の前後方向）中央部分を、上方に凹んだ所定寸法の箱状に形成することで構成される。従って、当該複合機１によれば、作業者は、第２手掛け部４２を用いて、複合機１の移動作業を行い得る。
【００２８】
図８に示すように、フレーム固定部４３は、第１カバー部材４０の端縁部分に複数箇所形成されており、本体フレーム１５に対して、第１カバー部材４０をネジ止め固定する際に用いられる。即ち、第１カバー部材４０は、複数のフレーム固定部４３形成位置において、本体フレーム１５に固定されている。
【００２９】
第２カバー部材５０は、第１カバー部材４０の内側壁４０Ａにおける本体筐体１０外側表面を覆うように形成されており、第１手掛け部５１を有している。即ち、第２カバー部材５０は、第１カバー部材４０に形成された内側壁４０Ａの下面、及び、当該内側壁４０Ａの下面より上方部分を覆うように、第１カバー部材４０に装着される（図７参照）。第１カバー部材４０と第２カバー部材５０とは、複数の爪とネジ（図示せず）により強固に固定されている。そして、第２カバー部材５０の上側縁は、上部カバー２０の下側縁に当接し、第２カバー部材５０の外表面と、上部カバー２０の外表面とで略同一面を形成している。
【００３０】
第１手掛け部５１は、第２カバー部材５０において、第１カバー部材４０における内側壁４０Ａの下面に対応する位置に形成されており、複合機１の移動作業時に、作業者の手が掛けられる部分である。当該第１手掛け部５１は、第２カバー部材５０における突出部４１下面側において、スキャナユニット２５による読取範囲Ｒの主走査範囲Ｒｍに相当する範囲を上方へ凹ませた略箱形状に形成されている（図６参照）。即ち、当該第１手掛け部５１は、主走査範囲Ｒｍに相当する長手寸法を有する箱状に形成されている。上述したように、主走査範囲Ｒｍは、Ｌｅｇａｌサイズ原稿の短辺の長さに対応するので、第１手掛け部５１は、少なくとも２つ以上の手を掛けることができるサイズで形成される。
【００３１】
又、第１手掛け部５１は、突出部４１下面側の所定範囲を上方に凹ませた箱状に形成されている。即ち、第１手掛け部５１は、上方に凹ませた箱状に形成されているため、複合機１の前後方向及び外側方向において、複合機１の上下方向に延びる側壁部５１Ｃを有する（図７参照）。当該側壁部５１Ｃは、第１手掛け部５１を用いて複合機１を移動する際の荷重に十分対抗することができるので、複合機１は、第１手掛け部５１の剛性を高め得る。
【００３２】
そして、第１手掛け部５１は、複数の第１リブ５１Ａと、第２リブ５１Ｂとを内部に有している（図７参照）。第１リブ５１Ａは、第１手掛け部５１の長手方向（複合機１の前後方向）に延びており、所定高さで立設されている。本実施形態においては、第１リブ５１Ａは、第１手掛け部５１内に５本立設されている。従って、複合機１の移動作業を行う際に、第１手掛け部５１に手を掛けると、作業者の手は、複数の第１リブ５１Ａと接触する。ここで、第１リブ５１Ａは、第１手掛け部５１の長手方向（即ち、複合機１の前後方向）に延びているため、第１手掛け部５１に掛けた手が滑る方向と直交し、滑り止めとして機能する。
【００３３】
又、第２リブ５１Ｂは、第１手掛け部５１内において、５本の第１リブ５１Ａよりも、複合機１の外側部分に立設されている。当該第２リブ５１Ｂは、第１手掛け部５１の長手方向（複合機１の前後方向）に延びており、前記第１リブ５１Ａよりも高い高さで立設されている（図７参照）。従って、複合機１の移動作業を行う際に、第１手掛け部５１に手を掛けると、作業者の手が滑った場合に、最終的に第２リブ５１Ｂと接触する。ここで、第２リブ５１Ｂは、第１手掛け部５１の長手方向（即ち、複合機１の前後方向）に延び、且つ、第１リブ５１Ａよりも高い高さで形成されているため、最終的な滑り止めとして機能する。
【００３４】
そして、図８に示すように、本実施形態に係る複合機１の重心Ｇは、突出部４１下面側の第１手掛け部５１の形成範囲（以下、第１形成範囲Ｌａ）と、サイドカバー３０下端部の第２手掛け部４２の形成範囲（以下、第２形成範囲Ｌｂ）により区画される領域内に含まれる。従って、第１手掛け部５１、第２手掛け部４２を用いた複合機１の移動作業時において、当該複合機１のバランスをとりやすい。この結果、当該複合機１は、第１手掛け部５１、第２手掛け部４２を用いた移動作業に基づく作業者の負担を軽減し得る。
【００３５】
以上、説明したように、本実施形態に係る複合機１は、本体筐体１０と、スキャナユニット２５と、サイドカバー３０を有する。スキャナユニット２５は、本体筐体１０の上部に配設されており（図２、図５、図７参照）、コンタクトガラス２６にセットされた原稿から、読取センサ２８により原稿の画像を読み取る。サイドカバー３０は、複合機１の上部分にあたるスキャナユニット２５下方の所定位置から上方部分を、複合機１の外側方向（左方向又は右方向）に突出させた突出部４１を有している（図１等参照）。そして、各突出部４１の下面側には、第１手掛け部５１が形成されている（図６、図７参照）。従って、当該複合機１によれば、作業者は、第１手掛け部５１に対して下方から手を掛けることができ、第１手掛け部５１を利用して、複合機１の移動作業を行い得る。そして、第１手掛け部５１は、複合機１の上部側に位置している為、複合機１が大型の重量物であった場合であっても、作業者は、無理な体勢をとらずに、複合機１の移動作業を行い得る。これにより、当該複合機１は、移動作業時における作業者の負担を軽減し得る。
【００３６】
そして、第１手掛け部５１は、スキャナユニット２５の読取範囲Ｒにおける主走査範囲Ｒｍに相当する長手寸法をもって形成されている（図７参照）。主走査範囲Ｒｍは、Ｌｅｇａｌサイズ原稿の短辺の長さに対応するので、第１手掛け部５１は、少なくとも２つ以上の手を掛けることができるサイズとなる。この結果、当該複合機１によれば、複数人の作業者が、第１手掛け部５１を用いて複合機１の移動作業を行うことができるので、当該複合機１は、当該複合機１が重量物であっても、個々の作業者の負担を軽減し得る。
【００３７】
更に、当該第１手掛け部５１には、第１手掛け部５１の長手方向に沿って連続するリブ（第１リブ５１Ａ、第２リブ５１Ｂ）が形成されている（図６、図７参照）。従って、第１手掛け部５１に手を掛けると、作業者の手は、第１手掛け部５１におけるどの位置であっても、当該第１リブ５１Ａ及び第２リブ５１Ｂに接触する。第１リブ５１Ａ及び第２リブ５１Ｂは、第１手掛け部５１の長手方向（即ち、複合機１の前後方向）に延びているため、第１手掛け部５１に掛けた手が滑る方向と直交し、滑り止めとして機能する。この結果、当該複合機１によれば、手が滑ることに起因する複合機１の落下等を防止し得る。又、作業者が複合機１をしっかりと保持し得るので、当該複合機１は、移動作業時における作業者の負担を軽減し得る。
【００３８】
又、当該複合機１において、突出部４１下面側の内壁面は、スキャナユニット２５の下部を構成するスキャナベース２７下面と、距離Ｔ離間した位置に位置する（図７参照）。従って、当該複合機１によれば、第１手掛け部５１を用いた移動作業を行った場合であっても、突出部４１下面側の内壁面が、スキャナユニット２５下面と接触することはない。即ち、当該複合機１は、第１手掛け部５１を用いた移動作業に際し、当該内壁面との接触に起因するスキャナユニット２５の故障を防止することができる。
【００３９】
そして、当該複合機１において、サイドカバー３０は、第１カバー部材４０と、第２カバー部材５０により構成される。第１カバー部材４０は、前記本体筐体１０の右側面又は、左側面を構成すると共に、前記スキャナユニット２５下方の所定位置から上方の部分において本体筐体１０外側に向かって突出し、突出部４１の内側壁４０Ａを構成している。第２カバー部材５０は、前記突出部４１下面側から上方にあたる部分において、内側壁４０Ａにおける本体筐体１０外側の表面を覆うように、当該第１カバー部材４０に配設され、突出部４１の外側壁を構成する（図７参照）。従って、当該複合機１によれば、突出部４１及び第１手掛け部５１の剛性を高めることができ、スキャナユニット２５下面へ向かう突出部４１内壁面（即ち、内側壁４０Ａ）の変形を抑止し得る。
【００４０】
更に、第１カバー部材４０は、フレーム固定部４３を介して、本体筐体１０内部で種々の構成部品を支持する本体フレーム１５に対して、複数箇所で固定されている。従って、当該複合機１によれば、第１手掛け部５１を用いた移動作業時において、複合機１の重量に基づく荷重は、複数のフレーム固定部４３近傍の固定箇所に分散され、第１手掛け部５１近傍に集中することはない。即ち、当該複合機１は、第１手掛け部５１を用いた移動作業に際し、突出部４１内壁面（即ち、内側壁４０Ａ）の変形を抑止し得る。これにより、当該複合機１は、突出部４１内壁面（即ち、内側壁４０Ａ）との接触に起因するスキャナユニット２５の故障を、より確実に防止することができる。
【００４１】
又、第１手掛け部５１は、主走査範囲Ｒｍに相当する長手寸法を有する箱状に形成されている。従って、第１手掛け部５１は、複合機１の前後方向及び外側方向において、複合機１の上下方向に延びる側壁部５１Ｃを有する（図７参照）。当該側壁部５１Ｃは、第１手掛け部５１を用いて複合機１を移動する際の荷重に十分対抗することができるので、当該複合機１は、第１手掛け部５１の剛性を高め得る。この結果、当該複合機１は、第１手掛け部５１を用いた移動作業に際し、突出部４１内壁面（即ち、内側壁４０Ａ）の変形を抑止し得る。これにより、当該複合機１は、突出部４１内壁面（即ち、内側壁４０Ａ）との接触に起因するスキャナユニット２５の故障を、より確実に防止することができる。
【００４２】
そして、第１手掛け部５１の長手方向両端部よりも外側においては、第２カバー部材５０により、突出部４１下面が形成されている。つまり、突出部４１中央の所定範囲に第１手掛け部５１が形成されているため、当該複合機１によれば、作業者は、当該複合機１の移動作業を、複合機１の姿勢が安定した状態で行い得る。
【００４３】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、スキャナ機能のみならず、コピー機能等を有する複合機１について説明していたが、この態様に限定されるものではない。例えば、原稿読取機能のみを有するスキャナ装置に適用することも可能である。
【００４４】
又、本実施形態においては、複合機１の本体筐体１０における左右側面に、夫々、突出部４１を形成した構成であったが、この態様に限定されるものではない。例えば、前側側面と、後側側面において、夫々、突出部４１を形成する態様であってもよい。
又、本実施形態においては、突出部４１を、第１カバー部材４０の内側壁４０Ａと、第２カバー部材５０とを重ねるように取り付けることにより構成したが、この構成に限定されるものではなく、強度を保つことができれば、第１カバー部材４０のみで構成してもよい。この場合、第１カバー部材４０により構成される突出部の下側面に、直接、第１手掛け部が形成される。
【００４５】
更に、本実施形態における第１手掛け部５１においては、５本の第１リブ５１Ａと、１本の第２リブ５１Ｂが形成されていたが、この態様に限定されるものではない。第１リブ５１Ａ及び第２リブの本数は、第１リブ５１Ａと第２リブ５１Ｂの位置関係を維持するものであれば、適宜変更することができる。
【符号の説明】
【００４６】
１      複合機
１０    本体筐体
１５    本体フレーム
２５    スキャナユニット
２７    スキャナベース
３０    サイドカバー
４０    第１カバー部材
４０Ａ  内側壁
４１    突出部
４２    第２手掛け部
５０    第２カバー部材
５１    第１手掛け部
５１Ａ  第１リブ
５１Ｂ  第２リブ
５１Ｃ  側壁部
Ｒ      読取範囲
Ｒｍ    主走査範囲
Ｔ      距離
Ｌａ    第１形成範囲
Ｌｂ    第２形成範囲
Ｇ      重心
【図１】
0005333410.tif 000002
【図２】
0005333410.tif 000003
【図３】
0005333410.tif 000004
【図４】
0005333410.tif 000005
【図５】
0005333410.tif 000006
【図６】
0005333410.tif 000007
【図７】
0005333410.tif 000008
【図８】
0005333410.tif 000009
【図９】
0005333410.tif 000010